(57)【要約】【課題】アコースティックピアノ、あるいは、アコースティックピアノと同様の外観意匠を有する電子ピアノ等の鍵盤楽器において、その外観意匠を良好に保持しながら、鍵盤蓋の軽量化を図れるようにする。【解決手段】鍵盤蓋１３Ａが、樹脂製の板状体２５Ａからなり、かつ、該板状体２５Ａの内部に空洞部３０Ａを有する鍵盤楽器を提供する。また、前記板状体２５Ａが、板状の樹脂発泡板部３１を備え、前記空洞部３０Ａが、前記樹脂発泡板部３１の内部に含まれる多数の気泡３３からなる鍵盤楽器を提供する。【選択図】図２
2015055667.tif 000002
【特許請求の範囲】
【請求項１】
鍵盤蓋を備える鍵盤楽器であって、
前記鍵盤蓋が、樹脂製の板状体からなり、かつ、該板状体の内部に空洞部を有することを特徴とする鍵盤楽器。
【請求項２】
前記板状体が、板状の樹脂発泡板部を備え、
前記空洞部が、前記樹脂発泡板部の内部に含まれる多数の気泡からなることを特徴とする請求項１に記載の鍵盤楽器。
【請求項３】
前記空洞部が、前記板状体の内部に設けられて該板状体の厚さ方向に延びる複数の筒状壁部によって構成されることを特徴とする請求項１又は請求項２に記載の鍵盤楽器。
【請求項４】
前記複数の筒状壁部が、ハニカム構造体を構成することを特徴とする請求項３に記載の鍵盤楽器。
【請求項５】
前記空洞部が、前記板状体の厚さ方向に直交する方向に延びて形成される孔によって構成されることを特徴とする請求項１又は請求項２に記載の鍵盤楽器。
【発明の詳細な説明】
【技術分野】
【０００１】
本発明は、鍵盤楽器に関する。
【背景技術】
【０００２】
一般に、グランドピアノ、アップライトピアノ等のアコースティックピアノや、電子ピアノ等の鍵盤楽器は、鍵盤部を覆う鍵盤蓋を備える（例えば特許文献１参照）。従来、アコースティックピアノ、あるいは、アコースティックピアノと同様の外観意匠を有する電子ピアノでは、鍵盤蓋が木材からなり、また、所定の厚みを有している。
【先行技術文献】
【特許文献】
【０００３】
【特許文献１】実公平３−３９８２５号公報
【発明の概要】
【発明が解決しようとする課題】
【０００４】
しかしながら、鍵盤蓋が木材からなり、また、所定の厚みを有すると、鍵盤蓋の重量が重く、鍵盤蓋を開閉し難いという問題がある。
特許文献１に記載の鍵盤蓋は、樹脂材料によって構成されているが、アコースティックピアノ（あるいは同様の外観意匠を有する電子ピアノ）用の鍵盤蓋を単に樹脂材料により構成するだけでは、鍵盤蓋の重量が依然として重くなってしまう。なお、上記アコースティックピアノ等の鍵盤蓋を薄く形成することで鍵盤蓋の軽量化を図ることも考えられるが、この場合、アコースティックピアノ等の外観意匠が損なわれてしまう。
また、従来では、アコースティックピアノ等の鍵盤蓋の開閉を容易とするために、鍵盤蓋にダンパ構造を設けた構成もあるが、ダンパ構造が外部に露出するため、アコースティックピアノ等の外観意匠が損なわれてしまう。さらに、ダンパ構造は高価であるため、アコースティックピアノ等の製造コストが高くなってしまう。
【０００５】
本発明は、上述した事情に鑑みてなされたものであって、アコースティックピアノ等の外観意匠を良好に保持しながら、鍵盤蓋の軽量化を図ることが可能な鍵盤楽器を提供することを目的とする。
【課題を解決するための手段】
【０００６】
上記課題を解決するために、本発明の鍵盤楽器は、鍵盤蓋を備える鍵盤楽器であって、前記鍵盤蓋が、樹脂製の板状体からなり、かつ、該板状体の内部に空洞部を有することを特徴とする。
【０００７】
本発明の鍵盤楽器によれば、鍵盤蓋は内部に空洞部が形成された樹脂製の板状体からなり、この板状体は木材よりも軽量であるため、鍵盤蓋の軽量化を図ることができる。したがって、鍵盤蓋を容易に開閉することが可能となる。
また、板状体内部の空洞部により鍵盤蓋自体の軽量化を図ることで、鍵盤蓋の厚みを木材からなる従前の鍵盤蓋と同等に設定できるため、アコースティックピアノ等の外観意匠が損なわれることも防止できる。
さらに、板状体内部に空洞部を有する軽量な鍵盤蓋は、従来のようにダンパ構造を使用する構成と比較して安価に製造できるため、鍵盤蓋の開閉を容易に行うことが可能なアコースティックピアノ等の製造コストを低く抑えることも可能となる。
【０００８】
そして、前記鍵盤楽器においては、前記板状体が、板状の樹脂発泡板部を備え、前記空洞部が、前記樹脂発泡板部の内部に含まれる多数の気泡からなっていてもよい。
【０００９】
また、前記鍵盤楽器において、前記空洞部が、前記板状体の内部に設けられて該板状体の厚さ方向に延びる複数の筒状壁部によって構成されてもよい。
【００１０】
さらに、前記鍵盤楽器においては、前記複数の筒状壁部が、ハニカム構造体を構成してもよい。
【００１１】
また、前記鍵盤楽器においては、前記空洞部が、前記板状体の厚さ方向に直交する方向に延びて形成される孔によって構成されてもよい。
【００１２】
これらの構成によれば、鍵盤蓋を押出成形、射出成形等の従前の成形方法により効率よく製造することが可能である。
また、これらの構成では、板状体内部に空洞部が形成されていても、板状体の剛性を保つことも可能である。特に、空洞部が板状体の厚さ方向に延びる複数の筒状壁部によって構成される場合、また、多数の筒状壁部がハニカム構造体を構成する場合には、板状体の厚さ方向の剛性を特に向上させることができる。
【発明の効果】
【００１３】
本発明によれば、樹脂製の板状体内部に空洞部を形成することで、アコースティックピアノ等の外観意匠を保持しながら、鍵盤蓋の軽量化を図ることができる。
また、鍵盤蓋の開閉の容易化が、鍵盤蓋自体の軽量化によって実現されるため、ダンパ構造を利用する場合と比較して、アコースティックピアノ等の製造コストを低く抑えることも可能となる。
【図面の簡単な説明】
【００１４】
【図１】本発明の第一実施形態に係るピアノの要部を示す側断面図である。
【図２】図１に示す鍵盤蓋の要部拡大断面図である。
【図３】本発明の第二実施形態に係る鍵盤蓋であって、その一部を破断した斜視図である。
【図４】本発明の第三実施形態に係る鍵盤蓋の一部を示す斜視図である。
【図５】図４の鍵盤蓋の板状体の幅方向端部を示す拡大断面図である。
【発明を実施するための形態】
【００１５】
［第一実施形態］
以下、図１，２を参照して本発明の第一実施形態について説明する。
図１に示すように、この実施形態に係るピアノ（鍵盤楽器）１は、アコースティックピアノの一種であるアップライトピアノであり、従前のピアノと同様に構成されている。すなわち、ピアノ１は、筐体１１、鍵盤部１２、鍵盤蓋１３Ａ、ハンマ１４、弦（打撃対象）１５、アクション機構１６、ダンパ機構１７等を備える。
鍵盤部１２は、演奏者の手指によって演奏操作がなされる複数の鍵２４を配列したものであり、各鍵２４は筐体１１の棚板２１上に筬２９を介して揺動自在に設けられている。また、各鍵２４の一端部（前端部）は、筐体１１の前面側（図１において左側）において外部に露出している。
【００１６】
鍵盤蓋１３Ａは、鍵盤部１２のうち筐体１１の外部に露出する部分を覆うものであり、鍵盤部１２を覆うカバー位置ＣＬと、鍵盤部１２を外部に露出させる開放位置ＯＰとの間で、筐体１１の前框２２に対して回動自在に設けられている。
鍵盤蓋１３Ａは、樹脂製の板状体２５Ａからなり、鍵盤部１２の上方を覆う第一蓋体板部２６と、鍵盤部１２の前端（図１において鍵の左端）を覆う第二蓋体板部２７と、を備える。本実施形態の鍵盤蓋１３Ａでは、板状体２５Ａを折り曲げて形成することで、第一蓋体板部２６及び第二蓋体板部２７が一体に形成されている。
【００１７】
ハンマ１４、弦１５及びアクション機構１６は、いずれも筐体１１内部に設けられている。ハンマ１４は、弦１５を打撃するものである。アクション機構１６は、演奏者の手指による鍵の押鍵力を、ハンマ１４が弦１５を打撃する打弦力（打撃力）に変換する機構である。
ダンパ機構１７は、鍵２４の押鍵力や、演奏者の足によるラウドペダル（不図示）の踏込力を、弦１５上のダンパ１８を弦１５から離す離弦力に変換する機構である。
【００１８】
前述した鍵盤蓋１３Ａは、開放位置ＯＰに配された状態において、アクション機構１６と演奏者の頭部（不図示）との間に位置する。
本実施形態のピアノ１では、アクション機構１６が、筐体１１内部に配された鍵２４の後端部の上方において、筐体１１の前面側をなす上前板２３の内面に対向するように位置する。一方、開放位置ＯＰに配された鍵盤蓋１３Ａは、上前板２３の外面を覆うように位置する。また、演奏者がピアノを演奏する際には、演奏者の頭部が、鍵２４の前端部よりも上方において、上前板２３の外面に対向するように位置する。
【００１９】
そして、鍵盤蓋１３Ａは、図２に示すように、板状体２５Ａの内部に空洞部３０Ａを有して構成されている。本実施形態の鍵盤蓋１３Ａでは、板状体２５Ａが板状に形成された樹脂発泡板部３１を備え、空洞部３０Ａが樹脂発泡板部３１の内部に含まれる多数の気泡３３からなる。樹脂発泡板部３１は、例えば、基材樹脂（例えばＡＢＳ樹脂）に、加熱によりガスを発生する発泡剤（例えば、炭酸水素ナトリウム等のように加熱によって二酸化炭素を発生するもの）を混合した上で、この混合樹脂材料を鍵盤蓋１３Ａの成形時に加熱することで得られる。樹脂発泡板部３１における気泡率（板状体２５Ａ全体の容積に対する気泡３３の総容積）は、板状体２５Ａが鍵盤蓋１３Ａとしての剛性を確保できる範囲内で、できる限り大きくなるように設定されることが好ましい。
なお、多数の気泡３３は、互いに独立した状態で樹脂発泡板部３１の内部に存在してもよいし、また、互いに連結した状態で存在してもよい。また、気泡３３は、例えば図示例のように樹脂発泡板部３１の表面に開口してもよいが、例えば開口しなくてもよい。
【００２０】
また、本実施形態の板状体２５Ａは、樹脂発泡板部３１の表面に積層される樹脂製の表面層３２を備える。表面層３２は、図示例のように樹脂発泡板部３１の表面に開口する気泡３３を覆うことで、板状体２５Ａの表面に対する塗装性を確保して、良好な外観意匠を有する鍵盤蓋１３Ａを得る役割を果たす。したがって、表面層３２は、その表面粗さが小さくなるように、例えばＡＢＳ樹脂により構成されることが好ましい。なお、図示しないが、上記表面層３２上には、例えば樹脂製の塗装層及びクリア層（透明な樹脂層）が順次積層されていてもよい。
以上のように構成される板状体２５Ａをなす樹脂材料（例えば樹脂発泡板部３１をなす基材樹脂）の比重は、例えば木材の比重よりも重くてもよい。
【００２１】
以上のように構成される本実施形態の鍵盤蓋１３Ａの板状体２５Ａは、例えば押出成形、射出成形等により成形することが可能である。板状体２５Ａを押出成形により効率よく成形するためには、例えば、板状体２５Ａの幅方向（鍵２４の配列方向）に直交する断面形状に対応する隙間を有する型枠を用意し、板状体２５Ａの樹脂材料を上記隙間から押し出すとよい。
また、本実施形態の板状体２５Ａは、複数の樹脂層（例えば、樹脂発泡板部３１、表面層３２）を積層して構成されるため、板状体２５Ａを二色成形等の多色成形により成形することで、鍵盤蓋１３Ａを効率よく製造することが可能となる。
【００２２】
以上説明したように、本実施形態の鍵盤蓋１３Ａ及びこれを備える鍵盤楽器１によれば、鍵盤蓋１３Ａが内部に空洞部３０Ａを形成した樹脂製の板状体２５Ａからなり、この板状体２５Ａは木材よりも軽量なので、鍵盤蓋１３Ａの軽量化を図ることができる。仮に、板状体２５Ａをなす樹脂材料の比重が木材の比重よりも重くても、板状体２５Ａ内部に空洞部３０Ａを形成することで、板状体２５Ａからなる鍵盤蓋１３Ａを木材からなる従前の鍵盤蓋と同じ形状に形成した場合に、鍵盤蓋１３Ａを従前の鍵盤蓋よりも軽くすることができる。したがって、鍵盤蓋１３Ａを容易に開閉することが可能となる。
また、板状体２５Ａ内部の空洞部３０Ａにより鍵盤蓋１３Ａ自体の軽量化を図ることで、鍵盤蓋１３Ａの厚みを木材からなる従前の鍵盤蓋と同等に設定できるため、ピアノ１の外観意匠が損なわれることも防止できる。
さらに、板状体２５Ａ内部に空洞部３０Ａを有する軽量な鍵盤蓋１３Ａは、従来のようにダンパ構造を使用する構成と比較して安価に製造できるため、鍵盤蓋１３Ａの開閉を容易に行うことが可能なピアノ１の製造コストを低く抑えることも可能となる。
【００２３】
また、本実施形態の鍵盤蓋１３Ａは、樹脂発泡板部３１からなる、また、樹脂発泡板部３１の表面に表面層３２を積層して構成されるため、押出成形、射出成形等の従前の成形方法により効率よく製造することが可能である。また、樹脂発泡板部３１の気泡率を適宜調整することで、板状体２５Ａの剛性を保つこともできる。
【００２４】
さらに、本実施形態の鍵盤蓋１３Ａは、樹脂製の板状体２５Ａによって構成されるため、木材からなる従前の鍵盤蓋と比較して、鍵盤蓋１３Ａの重量や形状にばらつきが生じ難くい、という利点も有する。
また、本実施形態の鍵盤蓋１３Ａは、従前の鍵盤蓋１３Ａと同様の外観形状に形成できるため、従前のピアノにも取り付けることが可能である。言い換えれば、木材からなる従前の鍵盤蓋を、本実施形態の鍵盤蓋１３Ａに交換することが可能である。
【００２５】
さらに、本実施形態の鍵盤蓋１３Ａは、板状体２５Ａの内部に空洞部３０Ａを有して構成されるため、例えば図１に示すように、鍵盤蓋１３Ａが開放位置ＯＰに配され、アクション機構１６と演奏者の頭部（不図示）との間に位置する状態では、アクション機構１６において発生する音（アクション機構１６の各部材の動きに伴う音）が、演奏者の頭部に向けて伝播しても、空洞部３０Ａにより吸音されることで、空洞部３０Ａを有する鍵盤蓋１３Ａにおいて弱められる。したがって、アクション機構１６の音が演奏者の耳に到達することを抑制でき、演奏者がピアノ１の音（ハンマ１４によって打弦された弦１５の振動に基づいて発生する音）を聞き取りやすくなる、という効果も奏する。
【００２６】
〔第二実施形態〕
次に、図３を参照して本発明の第二実施形態について説明する。
この実施形態では、第一実施形態と比較して、鍵盤蓋の一部構造のみが異なっており、その他の構成については第一実施形態と同様である。本実施形態では、第一実施形態と同一の構成要素について同一符号を付す等して、その説明を省略する。
図３に示すように、この実施形態の鍵盤蓋１３Ｂは、第一実施形態と同様に、樹脂製の板状体２５Ｂからなり、第一蓋体板部２６及び第二蓋体板部２７を備える。また、本実施形態の鍵盤蓋１３Ｂでは、板状体２５Ｂを折り曲げて形成することにより、第一蓋体板部２６及び第二蓋体板部２７が一体に形成されている。さらに、本実施形態の鍵盤蓋１３Ｂは、板状体２５Ｂの内部に空洞部３０Ｂを有して構成されている。
【００２７】
ただし、本実施形態の鍵盤蓋１３Ｂでは、板状体２５Ｂが、板状体２５Ｂの外部形状をなす外壁板部３５と、板状体２５Ｂの内部に設けられて板状体２５Ｂの厚さ方向に延びる複数の筒状壁部３６とを備える。また、板状体２５Ｂの空洞部３０Ｂが、複数の筒状壁部３６によって構成されている。すなわち、板状体２５Ｂの空洞部３０Ｂは、複数の筒状壁部３６の内部空間に分割されている。複数の筒状壁部３６は、隙間なく配され、互いに隣り合う筒状壁部３６の部分は共通化されている。
さらに、本実施形態では、板状体２５Ｂのうち第一蓋体板部２６の内部に設けられた筒状壁部３６が、その軸方向から見た形状が正六角形となるように形成されている。すなわち、第一蓋体板部２６内部の複数の筒状壁部３６は、ハニカム構造体３７を構成している。
【００２８】
一方、第二蓋体板部２７の内部に設けられた筒状壁部３６は、その軸方向から見た形状が長方形となるように形成されている。第二蓋体板部２７内部の複数の筒状壁部３６は、板状体２５Ｂの幅方向（図３においてＸ方向）に配列されている。
また、板状体２５Ｂのうち第一蓋体板部２６と第二蓋体板部２７との間に位置する屈曲板部２８の内部にも筒状壁部３６が設けられている。屈曲板部２８内の筒状壁部３６は、屈曲板部２８の屈曲形状にあわせて湾曲して形成され、板状体２５Ｂの幅方向に配列されている。
板状体２５Ｂを構成する外壁板部３５及び筒状壁部３６の厚みは、板状体２５Ｂが鍵盤蓋１３Ｂとしての剛性を確保できる範囲内で、できる限り小さく設定されることが好ましい。
【００２９】
以上のように構成される本実施形態の鍵盤蓋１３Ｂは、例えば、板状体２５Ｂをその厚さ方向に分割した分割体を射出成形により成形した後、これら分割体を張り合わせることで、製造することが可能である。
【００３０】
本実施形態の鍵盤蓋１３Ｂによれば、第一実施形態と同様の効果を奏する。
また、本実施形態の鍵盤蓋１３Ｂによれば、従前の射出成形により効率よく製造することが可能である。
さらに、本実施形態の鍵盤蓋１３Ｂによれば、空洞部３０Ｂが板状体２５Ｂの厚さ方向に延びる複数の筒状壁部３６によって構成されるため、板状体２５Ｂの厚さ方向の剛性を向上させることができる。特に、本実施形態では、第一蓋体板部２６内部の複数の筒状壁部３６がハニカム構造体を構成しているため、第一蓋体板部２６の厚さ方向の剛性を第二蓋体板部２７の剛性よりもさらに向上させることができる。
【００３１】
なお、第二実施形態の鍵盤蓋１３Ｂにおいては、例えば第二蓋体板部２７内部の複数の筒状壁部３６が、第一蓋体板部２６の場合と同様に、ハニカム構造体を構成してもよい。
また、第二実施形態の鍵盤蓋１３Ｂには、例えば第一実施形態の構成が適用されてもよい。例えば、第二実施形態における板状体２５Ｂの外壁板部３５は、例えば第一実施形態の場合と同様に、複数の樹脂層を積層して構成されてもよい。
【００３２】
〔第三実施形態〕
次に、図４，５を参照して本発明の第三実施形態について説明する。
この実施形態では、第一、第二実施形態と比較して、鍵盤蓋の一部構造のみが異なっており、その他の構成については第一実施形態と同様である。本実施形態では、第一実施形態と同一の構成要素について同一符号を付す等して、その説明を省略する。
図４に示すように、この実施形態の鍵盤蓋１３Ｃは、第一、第二実施形態と同様に、樹脂製の板状体２５Ｂからなり、第一蓋体板部２６及び第二蓋体板部２７を備える。また、本実施形態の鍵盤蓋１３Ｃでは、板状体２５Ｃを折り曲げて形成することにより、第一蓋体板部２６及び第二蓋体板部２７が一体に形成されている。さらに、本実施形態の鍵盤蓋１３Ｃは、板状体２５Ｃの内部に空洞部３０Ｃを有して構成されている。
【００３３】
ただし、本実施形態の鍵盤蓋１３Ｃの板状体２５Ｃには、その厚さ方向に直交する方向に延びる孔３８が形成されている。本実施形態では、板状体２５Ｃの空洞部３０Ｃが、この孔３８によって構成されている。本実施形態の孔３８は、板状体２５Ｃの幅方向（図４においてＸ方向）に延びている。また、孔３８は、板状体２５Ｃを貫通する貫通孔となっている。さらに、孔３８の断面は、板状体２５Ｃの厚さ方向を短辺とした長方形に形成されている。また、孔３８は、互いに間隔をあけて複数配列されている。
【００３４】
さらに、本実施形態の鍵盤蓋１３Ｃは、図５に示すように、板状体２５Ｃの幅方向（図５においてＸ方向）の端部に設けられて複数の孔３８の開口を一括して塞ぐキャップ４１を備える。キャップ４１は、樹脂製であり、孔３８が開口する板状体２５Ｃの端面を覆う板状の被覆部４２と、各孔３８に嵌め入れられる複数の嵌め込み部４３と、を一体に形成して構成されている。
【００３５】
以上のように構成される本実施形態の鍵盤蓋１３Ｃの板状体２５Ｃは、第一実施形態の場合と同様に、例えば押出成形、射出成形等により成形することが可能である。また、板状体２５Ｃを成形した後に、キャップ４１を板状体２５Ｃの幅方向端部に取り付けることで、本実施形態の鍵盤蓋１３Ｃを得ることができる。なお、キャップ４１を板状体２５Ｃに取り付ける際には、例えば接着剤によってキャップ４１を板状体２５Ｃに接着してもよい。
【００３６】
本実施形態によれば、第一実施形態と同様の効果を奏する。
また、本実施形態の鍵盤蓋１３Ｃでは、板状体２５Ｃの空洞部３０Ｃが、板状体２５Ｃを貫通する孔３８によって構成されるため、押出成形、射出成形等の従前の成形方法により効率よく製造することが可能である。また、孔３８の形状や大きさを適宜調整することで、板状体２５Ｃの剛性を保つこともできる。
さらに、本実施形態の鍵盤蓋１３Ｃによれば、孔３８の開口がキャップ４１によって塞がれるため、鍵盤蓋１３Ｃの良好な外観意匠を確保することができる。
【００３７】
なお、第三実施形態の鍵盤蓋１３Ｃには、例えば第一実施形態の構成が適用されてもよい。例えば、第三実施形態における板状体２５Ｃは、例えば第一実施形態の場合と同様に、複数の樹脂層を積層して構成されてもよい。
【００３８】
以上、三つの実施形態により本発明について詳細に説明したが、本発明は上記実施形態に限定されるものではなく、本発明の趣旨を逸脱しない範囲において種々の変更を加えることが可能である。
例えば、上記実施形態の鍵盤蓋１３Ａ〜１３Ｃでは、第一蓋体板部２６及び第二蓋体板部２７が単一の板状体２５Ａ〜２５Ｃによって構成されているが、例えば別個の板状体によって構成されてもよい。この場合、第一蓋体板部２６及び第二蓋体板部２７は、例えば単純に固定されるだけでもよいし、例えばヒンジによって互いに回動自在となるように連結されてもよい。
【００３９】
さらに、本発明は、上記実施形態のようなアップライトピアノに適用されることに限らず、例えばグランドピアノに適用することも可能である。
また、本発明は、アップライトピアノやグランドピアノ等のように弦１５をハンマ１４により打撃するアコースティックピアノに適用されることに限らず、例えば、アコースティックピアノと同様の外観意匠を有する電子ピアノにも適用することが可能である。なお、本発明は、電子ピアノのうちアコースティックピアノと同様のアクション機構１６、ハンマ１４、及び、ハンマ１４により打撃される打撃対象（例えば発音用のセンサ）を備えるものに適用されることが特に有用である。
【符号の説明】
【００４０】
１…ピアノ（鍵盤楽器）、１２…鍵盤部、１３Ａ，１３Ｂ，１３Ｃ…鍵盤蓋、１４…ハンマ、１５…弦（打撃対象）、１６…アクション機構、２５Ａ，２５Ｂ，２５Ｃ…板状体、３０Ａ，３０Ｂ，３０Ｃ…空洞部、３１…樹脂発泡板部、３２…表面層、３３…気泡、３６…筒状壁部、３７…ハニカム構造体、３８…孔
【図１】
2015055667.tif 000003
【図２】
2015055667.tif 000004
【図３】
2015055667.tif 000005
【図４】
2015055667.tif 000006
【図５】
2015055667.tif 000007